(57)【要約】【課題】製造型や、接着剤の使用を必要とせず、容易に大量生産することが可能であるとともに、意匠性にすぐれた化粧箱を提供する。【解決手段】本化粧箱は、平面視で凹凸が連続する矩形波状の辺を有する四角形状の樹脂板を複数枚、樹脂板同士を、樹脂板の周囲に形成された凹凸がそれぞれ相補的に嵌合するように直方体状もしくは立方体状に組み立てて形成されていることを特徴とする。【選択図】図１
0003133301.tif 000002
【実用新案登録請求の範囲】
【請求項１】
平面視で凹凸が連続する矩形波状の辺を有する四角形状の樹脂板を複数枚、樹脂板同士を、樹脂板の周囲に形成された凹凸がそれぞれ相補的に嵌合するように直方体状もしくは立方体状に組み立てて形成されていることを特徴とする化粧箱。
【請求項２】
各樹脂板の四辺がそれぞれ平面視で凹凸が連続する矩形波状の辺に形成され、６枚の樹脂板を嵌合させて直方体状もしくは立方体状に組み立てて形成されていることを特徴とする請求項１記載の化粧箱。
【請求項３】
前後左右壁と底板を構成する５枚の樹脂板よりなり、前後左右壁を構成する樹脂板の上辺以外の各辺が、平面視で凹凸が連続する矩形波状の辺に形成されていることを特徴とする請求項１記載の化粧箱。
【請求項４】
前後左右壁を構成する樹脂板の下部両側に凸部がそれぞれ形成されるとともに上部両側に該凸部と嵌合する凹部がそれぞれ形成され、組立後の化粧箱が積み重ね可能に形成されていることを特徴とする請求項３記載の化粧箱。
【請求項５】
底板となる樹脂板の一辺部が外側に突出するとともに、この突出した部分に一定間隔で四角形状の貫通孔が辺に沿って形成され、平面視で凹凸が連続する矩形波状の辺が下方に形成された飾り板の前記凹凸が、前記貫通孔と嵌合することにより飾り板が取り付けられていることを特徴とする請求項１から３のいずれか一項に記載の化粧箱。
【請求項６】
連続する矩形波状の凹凸が、レーザー加工により形成されたものであることを特徴とする請求項１から５のいずれか一項に記載の化粧箱。
【請求項７】
樹脂板が無色透明であることを特徴とする請求項１から６のいずれか一項に記載の化粧箱。
【請求項８】
樹脂板が色つき透明であることを特徴とする請求項１から６のいずれか一項に記載の化粧箱。
【請求項９】
少なくともいずれかの樹脂板にレーザー加工により形成された意匠が施されていることを特徴とする請求項１から８のいずれか一項に記載の化粧箱。
【請求項１０】
樹脂板同士が嵌合取外し自在であることを特徴とする請求項１から９のいずれか一項に記載の化粧箱。
【考案の詳細な説明】
【技術分野】
【０００１】
本考案は、アクセサリーやジュエリー、玩具等を収納する化粧箱に関する。
【背景技術】
【０００２】
アクセサリーやジュエリー、玩具等を収納するコレクションケース等として利用される樹脂製の化粧箱（ケース）は、中身が見えるように透明性の高いアクリル樹脂やポリカーボネート樹脂が使用されることが多く、また、収納物の大きさに適合するように様々な大きさのものが市販されている。
【０００３】
例えば、アクリル樹脂の平板を構成単位部材として、各構成単位部材を、接着剤を用いて固定して立方体状や直方体状にしたものが販売されている。しかしながら、接着剤を用いた固定を行った場合、接着剤のムラやはみ出し等によって外観が悪くなってしまう、製造において接着や乾燥の工程が必要であるため短時間で多量の製品が製造できない、等の問題がある。
【０００４】
また、例えば、構成部材として箱体と蓋体とを射出成形で製造することもあり、この場合、接着剤等を使用せずに済むため、外観のよいものとすることができるが、箱体と蓋体の製造には異なる型が必要であり、別の製造ラインで製造するため、設備コストがかかってしまい、ひいては安価な製品の提供が難しくなるという問題があった。
【考案の開示】
【考案が解決しようとする課題】
【０００５】
本考案は、以上の通りの背景から、製造型や、接着剤の使用を必要とせず、容易に大量生産することが可能であるとともに、意匠性にすぐれた化粧箱を提供することを課題としている。
【課題を解決するための手段】
【０００６】
本考案は、上記の課題を解決するために、第１に、平面視で凹凸が連続する矩形波状の辺を有する四角形状の樹脂板を複数枚、樹脂板同士を、樹脂板の周囲に形成された凹凸がそれぞれ相補的に嵌合するように直方体状もしくは立方体状に組み立てて形成されていることを特徴としている。
【０００７】
第２には、上記第１の化粧箱において、各樹脂板の四辺がそれぞれ平面視で凹凸が連続する矩形波状の辺に形成され、６枚の樹脂板を嵌合させて直方体状もしくは立方体状に組み立てて形成されていることを特徴としている。
【０００８】
第３には、上記第１の化粧箱において、前後左右壁と底板を構成する５枚の樹脂板よりなり、前後左右壁を構成する樹脂板の上辺以外の各辺が、平面視で凹凸が連続する矩形波状の辺に形成されていることを特徴としている。
【０００９】
第４には、上記第３の化粧箱において、前後左右壁を構成する樹脂板の下部両側に凸部がそれぞれ形成されるとともに上部両側に該凸部と嵌合する凹部がそれぞれ形成され、組立後の化粧箱が積み重ね可能に形成されていることを特徴としている。
【００１０】
第５には、上記第１から第３のいずれかの化粧箱において、底板となる樹脂板の一辺部が外側に突出するとともに、この突出した部分に一定間隔で四角形状の貫通孔が辺に沿って形成され、平面視で凹凸が連続する矩形波状の辺が下方に形成された飾り板の前記凹凸が、前記貫通孔と嵌合することにより飾り板が取り付けられていることを特徴としている。
【００１１】
第６には、上記第１から第５のいずれかの化粧箱において、連続する矩形波状の凹凸が、レーザー加工により形成されたものであることを特徴としている。
【００１２】
第７には、上記第１から第６のいずれかの化粧箱において、樹脂板が無色透明であることを特徴としている。
【００１３】
第８には、上記第１から第６のいずれかの化粧箱において、樹脂板が色つき透明であることを特徴としている。
【００１４】
第９には、上記第１から第８のいずれかの化粧箱において、少なくともいずれかの樹脂板にレーザー加工により形成された意匠が施されていることを特徴としている。
【００１５】
第１０には、上記第１から第９のいずれかの化粧箱において、樹脂板同士が嵌合取外し自在であることを特徴としている。
【考案の効果】
【００１６】
請求項１から３の化粧箱は、樹脂板同士を嵌合させることにより容易に組み立てることができるために、製造型や、接着剤の使用を必要とせず、容易に大量生産することが可能となる。また、樹脂板の周囲の辺に設けられた凹凸は、嵌合させた状態で、規則的に反射率が異なったものとなり、あたかも２種類の小さな四角のパターンが規則正しく繰り返し、化粧箱の各辺の回りに装飾が施された感を呈し、観る人に審美性を感じさせ、意匠性のすぐれたものとなる。
【００１７】
請求項４の化粧箱は、１つの化粧箱の下部に設けられた凸部が別の化粧箱の上部に設けられた凹部と嵌合できるため、何段にも積み重ねての使用が可能となる。また、単独使用においても、下部の四隅に設けられた凸部により、底板が化粧箱載置面に直接接することなく、若干持ち上げられた状態となるため、化粧箱載置面の様子が直接底板に映らず、品位をより高めることができる。さらに、化粧面載置面に多少凹凸があっても安定して載置することができる。
【００１８】
請求項５の化粧箱は、飾り板を一体に設けたため、より一層審美性を高めることができる。
【００１９】
請求項６の化粧箱は、連続する矩形波状の凹凸がレーザー加工により形成されるため、化粧箱を構成する複数の樹脂板を、１枚の大きな樹脂板材から容易にかつ精度よくスピーディーに得ることが可能となる。また、その仕上がり部も精度の高い形状となる。
【００２０】
請求項７の化粧箱は、無色透明であるため、内部に収納したアクセサリーや玩具等をクリアに目視できるようになる。
【００２１】
請求項８の化粧箱は、色つき透明であるため、無色透明の場合とは異なった雰囲気をかもしだすことができる。
【００２２】
請求項９の化粧箱は、樹脂板の前後側壁や、天板あるいは底板に、レーザー加工により意匠が施されているため、より一層審美性を高めることができる。
【００２３】
請求項１０の化粧箱は、樹脂板同士が嵌合取外し自在であるため、組立てが容易であるばかりでなく、好みに応じて種々の形態の化粧箱に変更することもできる。
【考案を実施するための最良の形態】
【００２４】
以下、本考案の実施の形態について図面に沿って説明する。
【００２５】
図１は、本考案の一実施形態に係る化粧箱を斜め上方から見た斜視図である。また、図２は、図１の化粧箱の展開図（各樹脂板の平面図）である。
【００２６】
図１、図２に示すように、本考案の化粧箱１０は、天板となる樹脂板１１Ａ、前後壁となる樹脂板１１Ｂ、１１Ｃ、左右壁となる樹脂板１１Ｄ、１１Ｅ、底板となる樹脂板１１Ｆの６枚の樹脂板１１（１１Ａ〜１１Ｆ）より構成される。各樹脂板１１は、例えば無色透明のアクリル樹脂よりなり、一定肉厚を有し、全体が同じ大きさの平面視略正方形状となっている。各樹脂板１１の４つの辺１２（１２ａ〜１２ｄ）には、それぞれ矩形波状のパターンで規則正しく繰り返される凹凸１３（１３ａ〜１３ｄ）が形成されている。
【００２７】
底板となる樹脂板１１Ｆの辺１２ｃに形成された凹凸１３ｃの各凹部と各凸部には、前壁となる樹脂板１１Ｂの辺１２ａに形成された凹凸１３ａの各凸部と各凹部が、樹脂板１１Ｆに対して樹脂板１１Ｂが垂直に向いた状態で、それぞれ相補的に嵌合するようになっている。堅固な嵌合固定が行えるよう、凹凸１３ｃと凹凸１３ａの凹凸形状は精度良く加工されている（以下、その他の凹凸形状も同様である）。
【００２８】
同様に、底板となる樹脂板１１Ｆの辺１２ａに形成された凹凸１３ａの各凹部と各凸部には、後壁となる樹脂板１１Ｃの辺１２ｃに形成された凹凸１３ｃの各凸部と各凹部が、樹脂板１１Ｆに対して樹脂板１１Ｃが垂直に向いた状態で、それぞれ相補的に嵌合するようになっている。
【００２９】
また、底板となる樹脂板１１Ｆの辺１２ｄに形成された凹凸１３ｄの各凹部と各凸部には、左壁となる樹脂板１１Ｄの辺１２ｂに形成された凹凸１３ｂの各凸部と各凹部が、樹脂板１１Ｆに対して樹脂板１１Ｄが垂直に向いた状態で、それぞれ相補的に嵌合するようになっており、底板となる樹脂板１１Ｆの辺１２ｂに形成された凹凸１３ｂの各凹部と各凸部には、右壁となる樹脂板１１Ｅの辺１２ｄに形成された凹凸１３ｄの各凸部と各凹部が、樹脂板１１Ｆに対して樹脂板１１Ｅが垂直に向いた状態で、それぞれ相補的に嵌合するようになっている。
【００３０】
また、前壁となる樹脂板１１Ｂ、後壁となる樹脂板１１Ｃ、左壁となる樹脂板１１Ｄ、右壁となる樹脂板１１Ｅが、底板となる樹脂板１１Ｆと嵌合した状態において、前壁となる樹脂板１１Ｂの辺１２ｄに形成された凹凸１３ｄの各凹部と各凸部と、左壁となる樹脂板１１Ｄの辺１２ｃに形成された凹凸１３ｃの各凸部と各凹部；前壁となる樹脂板１１Ｂの辺１２ｂに形成された凹凸１３ｂの各凹部と各凸部と、右壁となる樹脂板１１Ｅの辺１２ｃに形成された凹凸１３ｃの各凸部と各凹部；後壁となる樹脂板１１Ｃの辺１２ｄに形成された凹凸１３ｄの各凹部と各凸部と、左壁となる樹脂板１１Ｄの辺１２ａに形成された凹凸１３ａの各凸部と各凹部；後壁となる樹脂板１１Ｃの辺１２ｂに形成された凹凸１３ｂの各凹部と各凸部と、右壁となる樹脂板１１Ｅの辺１２ａに形成された凹凸１３ａの各凸部と各凹部；はそれぞれ相補的に嵌合するようになっている。そして、その状態で、天板となる樹脂板１１Ａの辺１２ｃに形成された凹凸１３ｃの各凹部と各凸部、辺１２ａに形成された凹凸１３ａの各凹部と各凸部、辺１２ｄに形成された凹凸１３ｄの各凹部と各凸部、辺１２ｂに形成された凹凸１３ｂの各凹部と各凸部が、それぞれ、前壁となる樹脂板１１Ｂの辺１２ｃに形成された凹凸１３ｃの各凸部と凹部、後壁となる樹脂板１１Ｃの辺１２ａに形成された凹凸１３ａの各凸部と凹部、左壁となる樹脂板１１Ｄの辺１２ｄに形成された凹凸１３ｄの各凸部と凹部、右壁となる樹脂板１１Ｅの辺１２ｂに形成された凹凸１３ｂの各凸部と凹部とそれぞれ相補的に嵌合し、これにより図１のような化粧箱１０が構成されている。
【００３１】
上記構成を有する本実施形態の化粧箱１０は、樹脂板同士を嵌合させることにより組み立てることができるために、製造型や、接着剤の使用を必要とせず、容易に大量生産することが可能となる。また、樹脂板の周囲の辺に設けられた凹凸は、嵌合させた状態で、規則的に反射率が異なったものとなり、あたかも２種類の小さな四角のパターンが規則正しく繰り返し、化粧箱の各辺の回りに装飾が施された感を呈し、観る人に審美性を感じさせ、意匠性のすぐれたものとなる。特に化粧箱１０のように、矩形波状の凹凸の高さ＝樹脂板の厚さとなるように形成することも意匠性のすぐれたものとなり好ましい。また、本化粧箱１０では、樹脂板１１同士が嵌合取外し自在であるため、中身の入れ替え、掃除、あるいは破損した樹脂板１１を交換するといった作業等を容易に行うことができるようになる。さらに、樹脂板１１は化粧箱１０としての使用時に組立てたり、化粧箱１０としての非使用時に樹脂板１１に分解したりできるため、製品の省ストックスペース化、配送の合理化等が図れるとともに、ユーザーによる組立て、分解使用を可能とすることができる。
【００３２】
上記実施形態の化粧箱１０では、全体形状を立方体状としたが、もちろん、用途に応じた寸法の直方体状としてもよい。
【００３３】
また、上記実施形態の化粧箱１０では、樹脂板１１としてアクリル樹脂を用いたが、もちろんこれに限定されるものではなく、ポリカーボネート樹脂等、各種樹脂を用いることができる。また、樹脂板１１は、無色透明のほか、収納対象を外から観ることができるならば色つき透明であってもよい。
【００３４】
さらに、本考案の化粧箱は、樹脂板の周囲の凹凸をレーザー加工により形成したものであることが好ましい。現在のレーザー加工技術によれば、０．０１ｍｍ単位程度の正確な切り出しが可能とされ、加熱溶融−冷却固化の過程を必要とする射出成形よりも寸法安定性が優れている。レーザー加工に用いるレーザーとしては、樹脂切り出し用のレーザーとして最もよく使用され、制御が容易であるＣＯ２レーザーを好ましく用いることができるが、もちろんそれ以外のレーザーも使用することができる。また、レーザーの使用は設備の小型化がはかれるとともに、加工の容易性、高精度な仕上がりが得られる利点がある。さらに、一旦、樹脂板のパターンを決めておけば、大量の凹凸辺付き樹脂板を短時間で作製することができ、大量の製品の供給が行える。
【００３５】
さらには、レーザーを用いて、樹脂板のいずれかに、意匠を施すことによって化粧箱をさらに見栄えの良好なものとすることもできる。
【００３６】
次に、本考案の別の実施形態に係る化粧箱について述べる。図３は、この実施形態の化粧箱を斜め上から見た斜視図である。また、図４は、図３の化粧箱の展開図（各樹脂板の平面図）である。図３、図４において、図１、図２と同様な要素には同じ符号を付してある。
【００３７】
本実施形態の化粧箱２０が、図１、図２の実施形態の化粧箱１０と相違する点は、底板１１Ｆ（１５）の一辺１２ａが立方体部分より少し外側に延び、その延びた部分に矩形波状の凹凸は形成されず、その代わり小さな四角形状の貫通孔１６がその辺に沿って一定間隔で形成されている点、後壁（便宜上、後壁と記載してあるが、実際は、通常、こちらが前方になるように載置される）となる樹脂板１１Ｃの下辺１２ｃに矩形波状の凹凸が形成されていない点、新たに下辺１２ｃに矩形波状の凹凸１３ｃが形成されている飾り板１４を備えている点、飾り板１４が、その矩形波状の凹凸１３ｃの凸部が底板１１Ｆ（１５）の貫通孔１６と嵌合して取り付けられている点である。
【００３８】
このような構成において、例えば、飾り板１４に対してレーザー加工で意匠を形成したり、飾り板１４の色を、化粧箱２０の本体を形成する樹脂板１１とは異なる色のものとしたりすることで、図１、図２の実施形態の化粧箱１０の利点を有しつつ、さらに化粧箱２０の意匠性の幅を広げることができ、バリエーションにとんだ化粧箱の提供が可能となる。
【００３９】
次に、本考案のさらに別の実施形態に係る化粧箱について述べる。図５は、この実施形態の化粧箱を斜め上から見た斜視図である。また、図６は、図５の化粧箱の展開図（各樹脂板の平面図）であり、図６は、図５の化粧箱を積み重ねる様子を示す斜視図である。図５〜図７において、図１、図２と同様な要素には同じ符号を付してある。
【００４０】
本実施形態の化粧箱３０が、図１、図２の実施形態の化粧箱１０と相違する点は、天板のない構造とした点、前壁となる樹脂板１１Ｂの上辺１２ｃ、後壁となる樹脂板１１Ｃの上辺１２ａ、左壁となる樹脂板１１Ｄの上辺１２ｄ、右壁となる樹脂板１２Ｅの上辺１２ｂをそれぞれフラットとするとともに両端にそれぞれ凹部１７を設けた点、前壁となる樹脂板１１Ｂの下辺１２ａ、後壁となる樹脂板１１Ｃの下辺１２ｃ、左壁となる樹脂板１１Ｄの下辺１２ｂ、右壁となる樹脂板１２Ｅの下辺１２ｄの両端にそれぞれ上記凹部１７と相補形状の凸部１８を設けた点である。
【００４１】
本実施形態の化粧箱３０の全体外観は、図５に示すようになり、一見、天板がないことを除いて図１、図２の実施形態の化粧箱１０と同じようであるが、図７に示すように、複数の化粧箱３０を積み重ねて用いることを可能にするものである。化粧箱３０の上端と下端に、それぞれが嵌合しあう凹部１７と凸部１８が形成されていることによって、容易に積み重ねができ、積み重ねても安定性が維持され、揺れ等によって化粧箱３０がズレたりすることを防ぐことができる。本考案によれば、このような趣向をこらした使用も可能となる。また、単独使用においても、下部の四隅に設けられた凸部１８により、底板１１Ｅが化粧箱載置面に直接接することなく、若干持ち上げられた状態となるため、化粧箱載置面の様子が直接底板に映らず、品位をより高めることができる。さらに、化粧面載置面に多少凹凸があっても安定して載置することができる。ただし、化粧箱３０のように天板がない場合に限らず、天板がある場合でも、化粧箱の上端と下端に、それぞれが嵌合しあう凹部と凸部を形成すれば、積み重ねができるようにあることは言うまでもない。
【００４２】
本考案の化粧箱のより具体的な用途として、当然にアクセサリーやジュエリー、玩具等を収納するコレクションケース等が例示されるが、それ以外のものとして、例えば図８のような診察券用ケースも例示される。診察券の有無を外から確認するために無色あるいは有色透明とするものは従来から知られていたが、本考案の化粧箱を適用して意匠性を向上させることができる。また、二段構造等であれば、段によって用途の使い分けも可能となることは言うまでもなく、図８の場合、診察券の有無の確認が可能となるとともに、上側のケースには造花を収容させて、観る人に審美性を与えることを同時に実現させている。
【００４３】
もちろん本考案は以上の図１から８等の実施形態に限定されるものではなく、細部については様々な態様が可能であることは言うまでもない。
【図面の簡単な説明】
【００４４】
【図１】本考案の一実施形態に係る化粧箱を斜め上方から見た斜視図である。
【図２】図１の化粧箱の展開図（各樹脂板の平面図）である。
【図３】本考案の別の実施形態に係る化粧箱を斜め上から見た斜視図である。
【図４】図３の化粧箱の展開図（各樹脂板の平面図）である。
【図５】本考案のさらに別の実施形態の化粧箱を斜め上から見た斜視図である。
【図６】図５の化粧箱の展開図（各樹脂板の平面図）である。
【図７】図５の化粧箱を積み重ねる様子を示す斜視図である。
【図８】本考案の化粧箱の具体的な用途としての診察券用ケースを斜め上方から見た斜視図である。
【符号の説明】
【００４５】
１０、２０、３０    化粧箱
１１（１１Ａ〜１１Ｆ）    樹脂板
１２（１２ａ〜１２ｄ）    辺
１３（１３ａ〜１３ｄ）    凹凸
１４    飾り板
１５    底板（１１Ｆ）
１６    貫通孔
１７    凹部
１８    凸部
【図１】
0003133301.tif 000003
【図２】
0003133301.tif 000004
【図３】
0003133301.tif 000005
【図４】
0003133301.tif 000006
【図５】
0003133301.tif 000007
【図６】
0003133301.tif 000008
【図７】
0003133301.tif 000009
【図８】
0003133301.tif 000010